(57)【要約】      （修正有）【課題】ファイリングした状態で書類を収納できるハイブリッド書類保管箱を提供する。【解決手段】Ｂ５、Ｂ４、Ａ４、Ａ３サイズの書類を保管する際、書類箱の内側の、下側受箱と上側蓋箱の開閉器具側に、下側受箱側面または上側蓋箱の上面にファイリング具を取付けてハイブリッド書類保管箱を構成する。又、クリアーポケットに１度収納してからファイリングできるようクリアーポケットが入る大きさに該ハイブリッド書類保管箱を構成しても良い。さらに、上記ファイリング具として、２穴用、４穴用、多穴用、のいずれかの物を使用しても良い。【選択図】図２
0003159141.tif 000002
【実用新案登録請求の範囲】
【請求項１】
Ｂ５、Ｂ４、Ａ４、Ａ３，サイズの書類を保管する際、通常はファイルにての保管、若しくはクリップ、ダブルクリップ、等にて止めて書類保管箱に収納しておりました、書類保管箱側にファイリング具を取付けることにて、ファイリングと書類収納を同時可能にしたことを特徴とした、ハイブリット書類保管箱。
【請求項２】
最近はＢ５、Ｂ４、Ａ４、Ａ３、サイズのクリアーポケットに１度収納してからの保管も多く成っております、クリアーポケットを使用した場合にも対応出来る様にしたことを特徴とした、請求項１に記載の、ハイブリッド書類保管箱。
【請求項３】
Ｂ５、Ｂ４、Ａ４、Ａ３、サイズのクリアーポケットは、２穴、４穴、多穴、タイプが有ります、それらにも対応出来る形を特徴とした、請求項１、請求項２、に記載の、ハイブリッド書類保管箱。
【考案の詳細な説明】
【技術分野】
【０００１】  本考案は、書類、カタログ等の保管に使用されます、文具用品および事務用品の分野に属します。【０００２】  また本考案は、書類、カタログ等の保管した時に、ファイリングも行うことが出来、ハイブリッド書類保管箱内にての仕分けも出来る構造を持っております。
【背景技術】
【０００３】  書類保管箱とファイリング具、との融合で有ります。
【先行技術文献】
【０００４】  書類保管箱とファイリング具、は現状多種ありますが、この様に１体化された製品は存在しておりません。
【考案が解決しようとする課題】
【０００５】  ファイリング具は多種有ります、それらをどの様に書類保管箱の中に組合わせるかで有ります。
【課題を解決するための手段】
【０００６】  ファイリング具は多種有ります、それらと書類保管箱との組合わせ方法を巧く、組み合わせることで有ります。
【図面の簡単な説明】
【０００７】
【図１】  標準的なＡ４サイズ書類保管箱図面
【図２】  Ａ４サイズ書類を収納した、リング状２穴ファイリング具を使用した場合の、ハイブリッド書類保管箱図面
【図３】  Ａ４サイズクリアーポケットを収納した、リング状２穴ファイリング具をした場合の、ハイブリッド書類保管箱図面
【図４】  Ａ４サイズクリアーポケットを収納した、リング状４穴ファイリング具をした場合の、ハイブリッド書類保管箱図面
【図５】  Ａ４サイズクリアーポケットを収納した、リング状多穴ファイリング具をした場合の、ハイブリッド書類保管箱図面
【図６】  Ａ４サイズクリアーポケットを収納した、棒状２穴ファイリング具をした場合の、ハイブリッド書類保管箱図面
【図７】  Ａ４サイズクリアーポケットを収納した、棒状４穴ファイリング具をした場合の、ハイブリッド書類保管箱図面
【図８】  Ａ４サイズクリアーポケットを収納した、ベルト状２穴ファイリング具をした場合の、ハイブリッド書類保管箱図面
【図９】  標準的なＢ５サイズ書類保管箱図面
【図１０】  Ｂ５サイズクリアーポケットを収納した、リング状２穴ファイリング具をした場合の、ハイブリッド書類保管箱図面
【考案を実施するための形態】
【０００８】  ここからは、図２と図中符号を使用して説明致します。
【０００９】  標準的なＡサイズ書類保管箱の開閉蝶番側に、品番２２リング状２穴ファイリング具を、品番２５締結材にて締結する。
これにてＡ４サイズの書類、カタログ等のファイリングしてのハイブリッド書類保管箱は完成致しました。
【００１０】  ここからは、図３〜図８を説明致します。
【００１１】  これらは、Ａ４サイズクリアーポケットを使用した場合の、各種ファイリング具を使用した場合の図面で有ります。
Ａ４サイズクリアーポケットの幅方向が大きく成った為、ハイブリッド書類保管箱の幅方向をほんの僅か大きくする必要が有ります。
【実施例】
【００１２】  図２にて示す、Ａ４サイズ書類をリング状２穴ファイリング具を使用した場合。【００１３】  図３・４・５にて示す、Ａ４サイズクリアーポケットを、リング状２穴、４穴、多穴ファイリング具を使用した場合。【００１４】  図６・７にて示す、Ａ４サイズクリアーポケットを、棒状２穴、４穴ファイリング具を使用した場合。【００１５】  図８にて示す、Ａ４サイズクリアーポケットを、ベルト状２穴ファイリング具を使用した場合。【００１６】  図１０にて示す、Ａ４サイズクリアーポケットを、リング状２穴ファイリング具を使用した場合。
【産業上の利用可能性】
【００１７】  従来はファイリング保管、または重要な物のみ書類箱としていたが、これらが従来の分別ファイリングと同時に、書類箱保管が可能と成り、書類保管の安全性が高まった。【００１８】  書類、カタログ等が、ファイリングされた上に書類保管箱に収納されて居る為に、落下事故等での書類、カタログ等の破損、散乱等の心配が無く、より安全に収納が出来る様に成った。
【符号の説明】
【００１９】１１    標準的なＡ４サイズ書類保管箱
１２    書類箱の開閉蝶番
１３    開閉止具
１４    Ａ４サイズ用紙
１５    Ｂ５サイズ用紙
１６    Ａ４サイズクリアーポケット
１７    Ｂ５サイズクリアーポケット
２１    Ａ４サイズリング状ファイル具取付書類保管箱
２２    リング状２穴ファイリング具
２３    リング状４穴ファイリング具
２４    リング状多穴ファイリング具
２５    締結材（リベット、かしめ、ボルト・ナット）
３１    Ａ４サイズ棒状ファイル具取付書類保管箱
３２    棒状２穴ファイリング具（棒側）
３３    棒状２穴ファイリング具（蓋側）
３４    棒状４穴ファイリング具（棒側）
３５    棒状４穴ファイリング具（蓋側）
３６    取付材（リベット、かしめ、ボルト・ナット）
４１    Ａ４サイズベルト状ファイル具取付書類保管箱
４２    ベルト状ファイリング具
４３    ベルトガイド
４４    ベルト押え
５１    標準的なＢ５サイズ書類保管箱
５２    Ｂ５サイズリング状ファイル具取付書類保管箱
【図１】
0003159141.tif 000003
【図２】
0003159141.tif 000004
【図３】
0003159141.tif 000005
【図４】
0003159141.tif 000006
【図５】
0003159141.tif 000007
【図６】
0003159141.tif 000008
【図７】
0003159141.tif 000009
【図８】
0003159141.tif 000010
【図９】
0003159141.tif 000011
【図１０】
0003159141.tif 000012
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
Ｂ５、Ｂ４、Ａ４、Ａ３，サイズの書類を保管する際、書類箱の内側の、下側受箱と上側蓋箱の開閉器具側に、下側受箱側面または上側蓋箱の上面にファイリング具を取付けることを特徴とした、ハイブリッド書類保管箱。
【請求項２】
Ｂ５、Ｂ４、Ａ４、Ａ３、サイズのクリアーポケットに１度収納してからの、クリアーポケットが入る大きさで有ることを特徴とした、請求項１に記載の、ハイブリッド書類保管箱。
【請求項３】
上記ファイリング具として、２穴用、４穴用、多穴用、のいずれかの物を使用した、請求項１または請求項２に記載の、ハイブリッド書類保管箱。